(57)【要約】読み出し部は、ＩＣカードが挿入されるとＩＣカードから識別番号を読み取って識別部に通知し、識別部は取得した情報が記憶部に格納されているか否かを判断する。記憶部には、過去に使用されたことのあるＩＣカードの識別番号と加入者情報が格納されている。記憶部に格納されていない場合、識別部は表示部に対して携帯電話端末に固有の暗証番号の入力を求める表示を行う要求を出し、表示部は前記表示を行う。識別部は入力された暗証番号を認識し、暗証番号が携帯電話端末に固有の暗証番号と異なると判断した場合はロック部にロック要求を出す。ロック部は携帯電話端末をロックして、使用不能にする。
2004056076.tif 000002
【特許請求の範囲】
【請求項１】
固有に割り当てられた識別番号と、加入者の個人情報とを記憶するＩＣカードが接続されることによって基地局と通信が可能となる移動通信端末において、
ＩＣカードの識別番号を格納する記憶部と、
接続されるＩＣカードの識別番号が、前記記憶部に格納されているか否かを判断し、格納されていない場合は当該移動通信端末が不正に使用されていないかどうかを判定する識別処理部とを備えたことを特徴とする移動通信端末。
【請求項２】
識別処理部が、移動通信端末固有の暗証番号の入力を要求し、間違った暗証番号が入力された場合は当該移動通信端末を使用不能にすることを特徴とする請求の範囲第１項記載の移動通信端末。
【請求項３】
識別処理部が、接続されるＩＣカードの識別番号と移動通信端末固有のＩＤとを基地局に送信して認証を要求し、基地局から認証不可の結果を受信した場合は当該移動通信端末を使用不能にすることを特徴とする請求の範囲第１項記載の移動通信端末。
【請求項４】
固有に割り当てられた識別番号と、加入者の個人情報とを記憶するＩＣカードが接続されることによって基地局と通信が可能となる移動通信端末において、
ＩＣカードの識別番号と加入者の個人情報とを格納する記憶部と、
前記記憶部に格納され、かつ接続されるＩＣカードが記憶する識別番号に対応する加入者の個人情報以外は使用不能にする識別処理部とを備えたことを特徴とする移動通信端末。
【発明の詳細な説明】
【技術分野】  この発明は、不正に使用されることを防ぐ機能を備えた移動通信端末に関するものである。
【背景技術】  携帯電話や自動車電話等の移動通信端末が、所有者の意図に反して他人の手に渡ってしまった場合等に不正に使用されないようにするための技術が提案されている。かかる技術の例として、所有者（加入者）に対応して設定された電話番号等のＩＤコードが記憶されていると共に、所有者の個人データが記憶されているＩＣカードを電話機本体に装着することによって通話が可能となる移動通信端末において、当該ＩＣカードに無効化コードを送信することによってＩＣカードを無効にし、不正使用を制限するものがある。例えば、特開平１１−１７７６８２号公報（第３−５頁、第１図）はこの種の無線通信装置を開示する。
ＩＣカードを装着することによって通話が可能となる移動通信端末では、通話に対する課金処理はＩＣカードの所有者を対象として行われる。従来の移動通信端末では、ＩＣカードが無効にされることによって不正使用が防止されるため、正規の持ち主に通話料金の負担がかかることを防ぐことができる。しかしながらこの方法では、使用者が不正に入手した移動通信端末に対して正規に入手したＩＣカードを装着した場合は、移動通信端末自体は制限なく使用できてしまう課題があった。
【発明の開示】
この発明は、上記のような課題を解決するためになされたもので、使用者が不正に入手した移動通信端末に対し、正規に入手したＩＣカードを装着した場合に使用を制限できる移動通信端末を得ることを目的とする。
この発明に係る移動通信端末は、ＩＣカードの識別番号を格納する記憶部と、接続されるＩＣカードの識別番号が記憶部に格納されているか否かを判断し、格納されていない場合は当該移動通信端末が不正に使用されていないかどうかを判定する識別処理部とを備えたものである。
このことによって、使用者が不正に入手した移動通信端末に対し、正規に入手したＩＣカードを装着した場合に当該端末の使用を防止できる。
【図面の簡単な説明】  第１図は、この発明の実施の形態１による携帯電話端末を示す図である。
第２図は、同実施の形態１による携帯電話端末のブロック図である。
第３図は、同実施の形態１による携帯電話端末が不正に使用されているか否かを判断する動作手順を示すフローチャートである。
第４図は、同実施の形態２による携帯電話端末および基地局との通信について示す図である。
第５図は、同実施の形態２による携帯電話端末のブロック図である。
第６図は、同実施の形態２による携帯電話端末が不正に使用されているか否かを判断する動作手順を示すフローチャートである。
第７図Ａは、従来の携帯電話端末による記憶情報を示す図である。
第７図Ｂは、この発明の実施の形態３による携帯電話端末の記憶情報を示す図である。
【発明を実施するための最良の形態】  以下、この発明をより詳細に説明するために、この発明を実施するための最良の形態について添付の図面に従って説明する。
実施の形態１．
第１図はこの実施の形態１による携帯電話端末を示す図である。携帯電話端末（移動通信端末）１の側面または裏面には、ＩＣカード２が着脱可能に装着されるスロット（図示せず）が設けられ、このスロットにＩＣカード２が挿入されることによって電気的に接続されている。ＩＣカード２には、加入者（所有者）の識別番号が記憶されている。このＩＣカード２が挿入されることにより携帯電話端末１は基地局と通信を行うことが可能となり、使用者は通話できるようになる。
第２図は携帯電話端末１のブロック図である。図に示すように、携帯電話端末１は、記憶部１１、読み出し部１２、識別部（識別処理部）１３、表示部（識別処理部）１４、ロック部（識別処理部）１５を備える。
記憶部１１には、過去に当該端末１で使用されたことのあるＩＣカードの識別番号と、相手先名と電話番号を登録したメモリダイヤルデータ、着信履歴データ、保存メール等の加入者情報とが格納されている。格納される情報は、最小で直近に使用された１つのＩＣカードの情報でもよく、最大で過去に使用されたすべてのＩＣカードの情報でもよい。例えば、第２図では過去に当該端末１を使用したことのある正規使用者ＡからＥの加入者情報ＡからＥが格納されていることを示す。また、記憶部１１には、端末１の製造者によってあらかじめ設定された固有の暗証番号が格納されている。
読み出し部１２は、ＩＣカード２が挿入されるとＩＣカード２から識別番号を読み取って識別部１３に通知する。識別部１３は、取得した識別番号が記憶部１１に格納されているか否かを判断する。記憶部１１に格納されていない場合、識別部１３は表示部１４に対して、携帯電話端末１に固有の暗証番号の入力を求める表示を行う要求を出す。表示部１４は前記表示を行う。識別部１３は入力された暗証番号を認識し、暗証番号が携帯電話端末１に固有の暗証番号と異なると判断した場合はロック部１５にロック要求を出す。ロック部１５は携帯電話端末１をロックして、使用不能にする。
第３図はこの実施の形態１による携帯電話端末１が不正に使用されているか否かを判定する動作手順を示すフローチャートであり、この図を参照して携帯電話端末１の動作を説明する。
携帯電話端末１の記憶部１１には、過去に使用されたことのあるＩＣカード‘Ａ’から‘Ｅ’の加入者情報が格納されている。使用者が携帯電話端末１にＩＣカード２を挿入すると、読み出し部１２はＩＣカード２に記憶される識別番号を読み取り識別部１３に通知する（ステップＳＴ１００）。識別部１３は、読み出し部１２から取得した識別番号が記憶部１１に格納されているか否かを判断する（ステップＳＴ１０１）。記憶部１１に識別番号が格納されていない場合、この端末１を使用する者は新規加入者または正当な借用者または不正使用者であると判断される（ステップＳＴ１０２）。
識別部１３は表示部１４に対して携帯電話端末１固有の暗証番号の入力を求める表示を行う要求を出す（ステップＳＴ１０３）。表示部１４は、使用者に対して携帯電話端末１固有の暗証番号の入力を求める表示を行う（ステップＳＴ１０４）。この表示に応答して使用者が入力した暗証番号を識別部１３が認識し、端末１固有の暗証番号と等しいか否かを判断する（ステップＳＴ１０５）。入力された暗証番号が端末１固有の暗証番号と等しくないと判断された場合、識別部１３はロック部１５にロック要求を出す（ステップＳＴ１０６）。ロック部１５は端末１をロックして使用不能にする（ステップＳＴ１０７）。
使用者が正規に入手した端末１に対して、正規に入手したＩＣカード２を挿入した場合は、ステップＳＴ１０２において記憶部１１に格納されていると判断され端末１は使用可能になる（ステップＳＴ１０８）。また、使用者が正規に入手した端末１に対して、新規のＩＣカードを挿入した場合、ステップＳＴ１０５において正しい暗証番号が入力されると端末１は使用可能になる（ステップＳＴ１１０）。
以上のように、この実施の形態１によれば、携帯電話端末１が、過去に使用したことのあるＩＣカードの識別番号と加入者情報とを格納する記憶部１１を備え、接続されたＩＣカードの識別番号が記憶部１１に格納されていない場合は使用者に端末１固有の暗証番号の入力を求めるようにしたので、使用者が不正に入手した移動通信端末に対し、正規に入手したＩＣカードを装着した場合に当該端末の使用を防止できる効果が得られる。
なお、ステップＳＴ１０４において、端末１固有の暗証番号だけでなくＩＣカード２の暗証番号の入力も要求し、端末１の暗証番号とＩＣカード２の暗証番号とが共に正しい場合のみ使用可能とするようにすれば、正規に入手した移動通信端末に対して不正に入手したＩＣカードを装着して使用しようとした場合にも端末の使用を防止することができる。
実施の形態２．
第４図はこの実施の形態２による携帯電話端末および基地局との通信について示す図である。図に示す携帯電話端末１は、実施の形態１と同様にＩＣカード２が挿入されることによって通信可能となる。ＩＣカード２には、加入者（所有者）の識別番号が記憶されている。加入者は、通常端末やＩＣカードが盗難等にあった場合は加入している事業会社に連絡する。事業会社は加入者の連絡に応じて盗難端末のＩＤ、盗難ＩＣカードの識別番号と加入者情報を盗難情報として登録しておく。端末は、基地局を経由して上記盗難情報に基づいて検索された盗難端末や盗難ＩＣカードの情報を取得することができる。
第５図は携帯電話端末１のブロック図である。図に示すように、携帯電話端末１は、記憶部２１、読み出し部２２、識別部（識別処理部）２３、送受信部（識別処理部）２４、ロック部（識別処理部）２５を備える。
記憶部２１には、過去に当該端末１で使用されたことのあるＩＣカードの識別番号と、相手先名と電話番号を登録したメモリダイヤルデータ、着信履歴データ、保存メール等の加入者情報とが格納されている。格納される情報は、最小で直近に使用された１つのＩＣカードの情報でもよく、最大で過去に使用されたすべてのＩＣカードの情報でもよい。例えば、第５図では過去に当該端末１を使用したことのある正規使用者ＡからＥの加入者情報ＡからＥが格納されていることを示す。また、記憶部２１には、電話番号等の端末１に固有のＩＤが格納される。
読み出し部２２は、ＩＣカード２が挿入されると識別番号を読み取って識別部２３に通知する。識別部２３は、取得した識別番号が記憶部２１に格納されているか否かを判断する。記憶部２１に格納されていない場合、識別部２３は送受信部２４に対して、認証要求を出す。送受信部２４は、挿入されたＩＣカード２の識別番号および端末１固有のＩＤを基地局に送信する。基地局はＩＣカード２と端末１の認証を行う。ＩＣカード２と端末１がともに盗難情報に登録されていなければ「認証可」が、ＩＣカード２と端末１のどちらか一方でも盗難情報に登録されていれば「認証不可」が認証結果として送受信部２４に送信される。認証結果が「認証可」である場合、端末１は使用可能になる。「認証不可」である場合は、送受信部２４はロック部２５にロック要求を出す。ロック部２５は携帯電話端末１をロックして使用不能にする。
第６図はこの実施の形態２による携帯電話端末１が不正に使用されているか否かを判定する動作手順を示すフローチャートであり、この図を参照して携帯電話端末１の動作を説明する。
携帯電話端末１の記憶部２１には、過去に使用されたことのあるＩＣカード‘Ａ’から‘Ｅ’の加入者情報が格納されている。使用者が携帯電話端末１にＩＣカード２を挿入すると、読み出し部２２はＩＣカード２に記憶される識別番号を読み取り識別部２３に通知する（ステップＳＴ２００）。識別部２３は、読み出し部２２から取得した識別番号が記憶部２１に記憶されているか否かを判断する（ステップＳＴ２０１）。記憶部２１に識別番号が格納されていない場合、この端末１を使用する者は新規加入者または正当な借用者または不正使用者であると判断される（ステップＳＴ２０２）。
識別部２３は送受信部２４に対して認証要求を出す（ステップＳＴ２０３）。送受信部２４は、ＩＣカード２から読み出された識別番号および端末１固有のＩＤを基地局に送信する（ステップＳＴ２０４）。基地局は、送信されたＩＣカード２の識別番号と端末１のＩＤの認証を行う。端末１またはＩＣカード２が盗難されたものである場合、認証結果は「認証不可」、端末１とＩＣカード２が正規に入手された端末である場合、認証結果は「認証可」となる。基地局は認証結果を送受信部２４に送信する（ステップＳＴ２０５）。
基地局から送信された結果が「認証不可」である場合（ステップＳＴ２０６）、送受信部２４はロック部２５にロック要求を出す（ステップＳＴ２０７）。ロック部２５は端末１をロックして使用不能にする（ステップＳＴ２０８）。
使用者が正規に入手した端末１に対して、正規に入手したＩＣカード２を挿入した場合は、ステップＳＴ２０２において記憶部２１に格納されていると判断され端末１は使用可能になる（ステップＳＴ２０９）。また、使用者が正規に入手した端末１に対して、新規のＩＣカードを挿入した場合、認証結果が「認証可」となると端末１は使用可能になる（ステップＳＴ２１１）。
以上のように、この実施の形態２によれば、ＩＣカードの識別番号と携帯電話端末固有のＩＤとを基地局に送信して認証要求を行い、結果が「認証不可」であった場合は端末をロックするようにしたので、使用者が不正に入手した移動通信端末に対し、正規に入手したＩＣカードを装着した場合に当該端末の使用を防止できる効果が得られる。また、使用者が正規に入手した移動通信端末に対し、不正に入手したＩＣカードを装着した場合も当該端末の使用を防止できる。
実施の形態３．
第７図Ａは従来の携帯電話端末による記憶情報を示す図であり、第７図Ｂはこの発明の実施の形態３による携帯電話端末の記憶情報を示す図である。従来の携帯電話端末では第７図Ａに示すような構成でデータが記憶されていたため、正当なＩＣカードを挿入した場合は端末に格納される全ての情報が読み出されていた。そこでこの実施の形態３では、第７図Ｂに示すように、電話帳データ、保存メール、着信履歴等をそれぞれＩＣカードの識別番号と共に格納するようにし、挿入されるＩＣカードごとに読み出せるデータを制限する。
この実施の形態３による携帯電話端末は第２図と同様の構成である。例えば、使用者Ａが正規に入手した携帯電話端末に正規に入手した識別番号‘Ａ’のＩＣカードを挿入して使用しようとする。読み出し部１２は識別番号‘Ａ’を読み取り、識別部１３に通知する。識別部１３は、読み出し部１２から通知された識別番号‘Ａ’が記憶部１１に格納されているか否かを判断する。格納されていると判断された場合、識別番号‘Ａ’の加入者情報のみ使用できるようになる。すなわち、識別部１３はロック部１５に対して、識別番号‘Ａ’の加入者情報以外の情報をロックして使用できないようにする要求を出す。ロック部１５は前記要求に応答して、識別番号‘Ａ’の加入者情報以外の情報をロックする。例えば第７図Ｂでは、使用者Ａは電話帳データ１，３，４、保存メール１，２、着信履歴２，３，５を見ることができる。
上記のように、挿入されたＩＣカードに対応する識別番号の加入者情報以外をロックするようにすると、例えば使用者Ｆが正規に入手したＩＣカードを不正に入手した携帯電話端末に挿入した場合、端末内の加入者情報はすべてロックされるため、不正使用者Ｆに対して端末内の情報が漏れることを防止できる。この方法で不正使用を防ぐ場合でも、ＩＣカードと端末とが同一人物に不正入手された場合に情報が漏れるおそれがある。そこで、実施の形態１のようにＩＣカード固有の暗証番号の入力を要求する方法を組み合わせてもよいし、特開平１１−１７７６８２号公報に開示される方法により、届出に基づいて基地局から無効化コードを送信することによってＩＣカードを無効にする方法を組み合わせてもよい。ＩＣカードおよび携帯電話端末を正規に入手した使用者に対しては、端末固有の暗証番号を入力することでこの端末に格納されるすべての情報を読み出せるようにしてもよい。
以上のように、この実施の形態３によれば、携帯電話端末に格納される加入者情報のうち、挿入されたＩＣカードに対応する識別番号の加入者情報以外をロックするようにしたので、使用者は必要な情報のみを読み出すことができ、利便性と共にセキュリティも高められるという効果が得られる。
以上、この発明をその好適な実施の形態を参照しながら詳細に図示して説明したが、請求の範囲に記載されたこの発明の趣旨および区域内で、形式および細部に関する様々な変更が可能であることは当業者であれば理解できることだろう。かかる変更、代替、修正もこの発明の範囲に含まれると出願人は意図している。
【産業上の利用可能性】  以上のように、この発明によれば、移動通信端末が、ＩＣカードの識別番号を格納する記憶部と、接続されるＩＣカードの識別番号が記憶部に格納されているか否かを判断し、格納されていない場合は当該移動通信端末が不正に使用されていないかどうかを判定する識別処理部とを備えるように構成したので、使用者が不正に入手した移動通信端末に対し、正規に入手したＩＣカードを装着した場合に当該端末の使用を防止できる効果がある。
【図１】
2004056076.tif 000003
【図２】
2004056076.tif 000004
【図３】
2004056076.tif 000005
【図４】
2004056076.tif 000006
【図５】
2004056076.tif 000007
【図６】
2004056076.tif 000008
2004056076.tif 000009
【国際調査報告】
2004056076.tif 000010
2004056076.tif 000011
2004056076.tif 000012
2004056076.tif 000013
2004056076.tif 000014
2004056076.tif 000015
2004056076.tif 000016